(57)【要約】      （修正有）【課題】レンズを傾けることなく光軸方向に駆動するとともに、高い駆動力を維持しながらもボビンとカバーの間に配置されるボールとボビンおよびカバーの摩擦力を大きくすることがなくボビンを光軸方向に潤滑に駆動するレンズ駆動装置を提供する。【解決手段】レンズ駆動装置は、レンズを収容する角筒形状のボビン２と、ボビンを収納する箱形状のカバー１と、ボビンをレンズの光軸方向に移動させるコイル３１とマグネット３２を有する駆動ユニットと、ボビンを支持する支持ユニットとを備える。支持ユニットはカバーに設けられた第１の溝４１とボビンに設けられた第２の溝４２との間に配されたボール４３とから構成される。第１の溝と第２の溝の境界を駆動ユニットに平行でない方向に向けることで、駆動の際にボビンを傾けることなくボビンを光軸方向に駆動することができる。【選択図】図３
0003200481.tif 000002
【実用新案登録請求の範囲】
【請求項１】
レンズを収容する角筒形状のボビンと、
前記ボビンを収納する箱形状のカバーと、
前記ボビンをレンズの光軸方向に移動させる駆動ユニットと、
前記ボビンを支持し、光軸方向に案内する支持ユニットを備えたレンズ駆動装置であって、
前記駆動ユニットは、前記カバーの内面の少なくとも１に装着されるコイルと、前記ボビンの外面の前記コイルに対向する駆動面に収容されて前記光軸方向の両側に異なる磁極を有する駆動用マグネットとから構成され、
前記支持ユニットは、前記カバーの内周の少なくとも２箇所に設けられて前記光軸方向に平行に伸びる複数の第１の溝と、前記ボビンの外周の少なくとも２箇所に設けられてレンズの光軸方向に平行に伸びて前記第１の溝の各々に対向する前記第１の溝と同数の第２の溝と、前記第１の溝とそれに対向する前記第２の溝との間に配されたボールとから構成され、
前記第２の溝のうち少なくとも１は、前記駆動面と非平行な支持面に設けられている、
ことを特徴とする、レンズ駆動装置。
【請求項２】
前記支持面に設けられた前記第２の溝及び該第２の溝に対向する前記第１の溝は、少なくとも１が断面Ｖ字形状を有することを特徴とする、請求項１に記載のレンズ駆動装置。
【請求項３】
前記ボビンの位置を検出する検出ユニットを備え、
前記検出ユニットは、前記カバーの内面の１に装着されるホール素子を搭載した基板と、前記ボビンの外面の前記基盤に対向する検出面に装着された検出用マグネットとから構成されることを特徴とする、請求項１又は２に記載のレンズ駆動装置。
【請求項４】
前記カバーと前記ボビンとを近接させ前記第１の溝とそれに対向する前記第２の溝との間に配された前記ボールを前記第１の溝と前記第２の溝に当接させることができる位置に前記検出用マグネットを設けたことを特徴とする、請求項３に記載のレンズ駆動装置。
【請求項５】
前記検出面の前記基盤の両側に各々１の前記第２の溝が設けられていることを特徴とする、請求項４に記載のレンズ駆動装置。                                                                 
【考案の詳細な説明】
【技術分野】
【０００１】
本考案は、レンズを駆動するレンズ駆動装置に関する。
【背景技術】
【０００２】
携帯電話等に搭載されるカメラには、撮影用に用いられるレンズ等の光学素子を、焦点合わせやズームのために駆動するレンズ駆動装置が設けられている。多くのレンズ駆動装置は、光学素子を保持するボビン、ボビンをその内部に収容するカバー、ボビンをレンズの光軸方向に移動させる駆動ユニットを備えていた。
【０００３】
ボビンが駆動ユニットによって移動すると、ボビンの駆動ユニットの箇所は所定の距離だけ移動する。一方、他の箇所は、駆動方向と逆向きの重力等によって駆動ユニットの箇所と同一の距離の移動が行われず、ボビンの向きに傾斜を生じ、レンズの光軸方向がずれてしまう場合がある。この対策として、ボビンを支持してボビンの向き（レンズの光軸方向）を安定させ光軸方向に案内する支持ユニットを備えていた。
【０００４】
支持ユニットとしては、ボビンとカバーに対向する溝を設け、その中に球形のボールが配置されたものが広く用いられていた。ボールがボビンとカバーとに接触して回転することでボビンを移動させる際に支持ユニットにおいて発生する摩擦力の影響を抑制するためである。
【０００５】
従来、断面矩形の角筒形状のボビンの一面に沿って駆動ユニットが設けられ、支持ユニットは駆動ユニットに対向する面に沿って設けられていた（例えば特許文献１、２参照）。すなわち、駆動ユニットと支持ユニットとが平行に配置されていた。このため、例えば、駆動ユニットがボビンを上方に移動させ、支持ユニット側に移動方向と逆向きの重力が加わる場合に、ボビンの支持ユニットの面を重力に抗して駆動ユニットの面と等距離だけ移動させることが困難であり、ボビンは、カバーに対して、すなわち光軸に対して傾くこととなってしまっていた。
また、ボビンを光軸方向に潤滑に駆動させるために駆動用マグネットを大きくして駆動用マグネットの磁力を高めたりすることで駆動力を高めることが好ましい。
しかしながら、駆動用マグネットの磁力を高めたりすると、駆動用マグネットとカバーの磁気的吸引力によってボビンとカバーの間に配置されるボールとボビンおよびカバーの摩擦力が大きくなる。そのため、駆動用マグネットの磁力を高めてもボビンが光軸方向に潤滑に駆動しないといった状況が生じていた。
【先行技術文献】
【特許文献】
【０００６】
【特許文献１】特開２０１３−０６１６６６号公報
【特許文献２】特開２０１５−００７８０４号公報
【考案の概要】
【考案が解決しようとする課題】
【０００７】
本考案は、レンズを傾けることなくその光軸方向に駆動するレンズ駆動装置を提供するとともに、高い駆動力を維持しながらもボビンとカバーの間に配置されるボールとボビンおよびカバーの摩擦力を大きくすることがなくボビンを光軸方向に潤滑に駆動するレンズ移動装置を提供することを課題とする。
【課題を解決するための手段】
【０００８】
本考案のレンズ駆動装置は、
レンズを収容する角筒形状のボビンと、
前記ボビンを収納する箱形状のカバーと、
前記ボビンをレンズの光軸方向に移動させる駆動ユニットと、
前記ボビンを支持し、光軸方向に案内する支持ユニットを備えたレンズ駆動装置であって、
前記駆動ユニットは、前記カバーの内面の少なくとも１に装着されるコイルと、前記ボビンの外面の  前記コイルに対向する駆動面に収容されて前記光軸方向の両側に異なる磁極を有する駆動用マグネットとから構成され、
前記支持ユニットは、前記カバーの内周の少なくとも２箇所に設けられてレンズの光軸方向に平行に伸びる複数の第１の溝と、前記ボビンの外周の少なくとも２箇所に設けられてレンズの光軸方向に平行に伸びて前記第１の溝の各々に対向する前記第１の溝と同数の第２の溝と、前記第１の溝とそれに対向する前記第２の溝との間に配されたボールとから構成され、
前記第２の溝のうち少なくとも１は、前記駆動面と非平行な支持面に設けられている、
ことを特徴とする。
【０００９】
第２の溝（支持ユニット）を、駆動ユニットの設けられた駆動面とは非平行な支持面に設ける。これにより、駆動面とそれに対向する面との間で移動距離の差が生じてボビンが傾斜する場合には、カバーに設けられた第１の溝に対してボビンに設けられた第２の溝が傾斜することになる。第１の溝及び第２の溝の長さがあるので、傾斜によって発生する２つの溝の位置の乖離は大きくなる。溝の中のボールによって、この乖離が防止される。すなわち、ボビンが傾くことがない。なお、駆動ユニットを１のみならず２以上の面に設けてもよい。この場合、２以上の駆動面が存在するが、いずれの駆動面についてもそれと非平行な支持面を有するものとする。２以上の駆動面が平行であれば、それと非平行な１の支持面でよい。
【００１０】
本考案のレンズ駆動装置は、
前記支持面に設けられた前記第２の溝及び該第２の溝に対向する前記第１の溝は、少なくとも１が断面Ｖ字形状を有することを特徴とする。
【００１１】
断面Ｖ字形状を有することで、溝の内部の溝幅が狭くなる。ボールが溝に係合し、溝の位置の乖離が確実に防止される。ここで「Ｖ字形状」は、開口部から溝幅が狭くなる形状を意味する。Ｖ字の下端の鋭角部は他の形状でもよい。
【００１２】
本考案のレンズ駆動装置は、
前記ボビンの位置を検出する検出ユニットを備え、
前記検出ユニットは、前記カバーの外面の１に装着されるホール素子を搭載した基板と、前記ボビンの外面の前記基盤に対向する検出面に装着された検出用マグネットとから構成されることを特徴とする。
【００１３】
検出ユニットは、レンズを駆動するために必要なものである。ここに検出用マグネットを備えることで、ボビンが磁性体（鉄）プレートに近接することによりカバーに近接することにより第１の溝とそれに対向する第２の溝との間に配されたボールが当接される。
さらに、検出用マグネットと駆動用マグネットを別体にすることで高い駆動力を維持しながらも検出マグネットの磁力を小さく調整できるため、ボビンとカバーの間に配置されるボールとボビン及びカバーの接触圧を調整することにより摩擦力を低減することが可能になる。
【００１４】
本考案のレンズ駆動装置は、
前記カバーと前記ボビンとを近接させ前記第１の溝とそれに対向する前記第２の溝との間に配された前記ボールを前記第１の溝と前記第２の溝に当接させることができる位置に前記検出用マグネットを設けたことを特徴とする。
【００１５】
支持面においてボビンとカバーを近接させる。より少ない傾斜でボールを溝に係合させてボビンを支持し、光軸方向に案内することができる。
【００１６】
本考案のレンズ駆動装置は、
前記検出面の前記基盤の両側に各々１の前記第２の溝が設けられていることを特徴とする。
【００１７】
検出面の両側でボビンを支持する。検出面に対するボビンの傾きが確実に防止される。特に、検出面が駆動面と直交する場合に有効である。
【考案の効果】
【００１８】
本考案のレンズ駆動装置によれば、レンズを傾けることなく、また光軸方向に潤滑に駆動することが可能となる。
【図面の簡単な説明】
【００１９】
【図１】図１は、レンズ駆動装置の構成を示す分解斜視図である。
【図２】図２は、レンズ駆動装置の構成を示す分解斜視図である。
【図３】図３は、レンズ駆動装置の構成を示す断面図である。
【図４】図４は、支持ユニットの作用を説明する図である。
【図５】図５は、支持ユニットの作用を説明する図である。
【図６】図６は、支持ユニットの作用を説明する図である。
【図７】図７は、支持ユニットの詳細を説明する断面図である。
【図８】図８は、レンズ駆動装置の例を示す図である。
【図９】図９は、レンズ駆動装置の例を示す図である。
【図１０】図１０は、レンズ駆動装置の構成を示す分解斜視図である。
【図１１】図１１は、ボール係止具を示す図である。
【考案を実施するための形態】
【００２０】
以下、本考案の実施例について説明する。
【実施例１】
【００２１】
図１は、レンズ駆動装置の構成を示す分解斜視図である。レンズ駆動装置は、カバー１、ボビン２、プレート６及びベース７から構成され、駆動ユニット３、支持ユニット４及び検出ユニット５を備えている。図１（Ａ）はカバー１及びプレート６を示し、図１（Ｂ）はボビン２及びベース７を示す。カバー１とボビン２との間に嵌挿されるボール４３を、図１（Ａ）及び図１（Ｂ）の双方に示し、図１（Ａ）と図１（Ｂ）の関連を表した。
【００２２】
ボビン２は、レンズ（非図示）を保持するレンズ保持部２１を備え、カバー１内でレンズの光軸方向（紙面垂直方向）に移動する。ボビン２は、一例として樹脂を用いて、正方形状の上面を有する角筒状に成形されている。
【００２３】
駆動ユニット３は、カバー１に付されたコイル３１とボビン２に駆動用マグネット３２とから構成される。駆動用マグネット３２はレンズの光軸方向（図の上下方向）に異なる磁極を有する。コイル３１に流れる電流によってボビン２に対して上向きの電磁力を与えることができ、それと逆向きの電流によってボビン２に対して下向きの電磁力を与えることができる。すなわち、コイル３１に流す電流を制御してボビン２を上下の任意の位置に駆動することができる。
【００２４】
支持ユニット４は、カバー１に設けられた２の第１の溝４１、ボビン２に設けられた２の第２の溝４２、及び第１の溝４１と第２の溝４２の間に配された３のボール４３から構成される。図１には第１の溝４１が表されていないが、図１と逆方向から見た分解斜視図である図２に第１の溝４１を示す。図２では１のみの第１の溝４１が表されているが、それと左右方向に対象のカバー１本体の後方にもう１の第１の溝４１が設けられている。２の第１の溝４１と第２の溝４２は対向している。なお、ボール４３の数は、３でなく、２又は４以上でもよい。第１の溝４１及び第２の溝４２の数は、２でなく３以上でもよいが、安定した支持のため、２であることが好ましい。
【００２５】
ボビン２は、ボール４３を介してカバー１に圧着され、支持される。ボール４３が第１の溝４１と第２の溝４２に接触して転がるので、ボビン２の光軸方向（図の上下方向）の移動については大きな抵抗力を持たずに行われる。
【００２６】
検出ユニット５は、ホール素子５１、それをカバー１に装着するための基板５２、及びボビン２に装着される検出用マグネット５３から構成される。ホール素子５１が検出用マグネット５３の磁界を検出し、ボビン２の位置（カバー１に対する相対位置）を検出する。
【００２７】
検出ユニット５によって検出されたボビン２の位置とボビン２を配置したい位置とが相違する場合には、コイル３１に電流を流し駆動ユニット３によってボビン２を移動させることができる。
【００２８】
図３は、レンズ駆動装置の構成を示す断面図である。図１及び図２においては分解斜視図を示したが、レンズ駆動装置の構成を分解せずに示したものである。
【００２９】
駆動ユニット３（コイル３１及び駆動用マグネット３２）が、断面矩形状のカバー１及びボビン２の、矩形の１辺に設けられている。支持ユニット４（第１の溝４１、第２の溝４２及びボール４３）並びに検出ユニット５（ホール素子５１、基板５２及び検出用マグネット５３）は、駆動ユニット３が設けられた１辺と直交する他辺に設けられている。なお、駆動ユニット３が設けられた１辺と、支持ユニット４及び検出ユニット５が設けられた他辺とは直交しなくても、平行でなければよい（この理由については後述する）。
【００３０】
駆動ユニット３は、矩形の１辺のみに設けられている。ここで、駆動ユニット３によってボビン２が移動される場合に、ボビン２の（駆動ユニット３のない）他の３辺に対向する面を駆動ユニットの面と等距離だけ移動させることが課題となる。等距離の移動がない場合には、ボビン２がカバー１に対して、すなわち光軸に対して傾くこととなってしまい、レンズの光軸も傾いてしまう。
【００３１】
図４は、支持ユニットの作用を説明する図である。図４は従来技術のものである。図３において駆動ユニット３が設けられた１辺と直交する他辺に設けられていた支持ユニット４が、駆動ユニット３と同一の辺に設けられている。（図４（Ａ）参照）
【００３２】
図４（Ｂ）は、図４（Ａ）のＢ−Ｂ線断面を示す。駆動ユニット３によりボビン２が図の上方に移動する場合のものである。ボビン２には図において上方から下方に向かう重力が作用しているものとする。
【００３３】
第１の溝４１及び第２の溝４２の加工精度によっては、第１の溝４１及び第２の溝４２のそれぞれとボール４３との間に間隙が生ずることがある。また、カバー１とボビン２とが遊離することもある。このため、図４（Ｂ）に示すように、ボビン２がカバー１に対して、すなわち光軸に対して傾くこととなってしまう。
【００３４】
以上、支持ユニット４が、駆動ユニット３と同一の辺に設けられている例を説明した。図４（Ｂ）に示すように、ボビン２がカバー１に対して、すなわち光軸に対して傾くこととなってしまうことは、支持ユニット４が、駆動ユニット３と同一の辺でなくても、平行な辺に設けられている場合には、同様に発生する。
【００３５】
図５は、支持ユニットの作用を説明する図である。図５も、図４と同様に従来技術のものである（特許文献２参照）。支持ユニット４が、駆動ユニット３と対向する平行な辺に設けられている。
【００３６】
図５（Ｂ）に示すように、図４（Ｂ）と同様に、ボビン２がカバー１に対して、すなわち光軸に対して傾くこととなってしまう。
【００３７】
図６は、支持ユニットの作用を説明する図である。図６は本考案のものであり、図６（Ａ）は図３に示したものである。支持ユニット４が、駆動ユニット３が設けられた１辺と直交する他辺に設けられている。
【００３８】
図６（Ｂ）は、図６（Ａ）のＢ−Ｂ線断面を示す。駆動ユニット３によりボビン２が図の上方に移動する場合のものである。ボビン２には図において上方から下方に向かう重力が作用しているものとする。
【００３９】
第１の溝４１及び第２の溝４２のそれぞれとボール４３との間に間隙が生ずることや、カバー１とボビン２とが遊離することを防止し、ボビン２がカバー１に対して、すなわち光軸に対して傾くことはないことを、以下説明する。
【００４０】
図において、左方にボビン２を上方に駆動する電磁力が、右方（全体）にボビン２を下方に駆動する重力が作用するので、ボビン２がカバー１に対して傾く場合には、図において時計回りに回転する。図４においては、第１の溝４１及び第２の溝４２のそれぞれとボール４３との間に間隙が生ずることや、カバー１とボビン２とが遊離することにより、かかる回転が発生し得た。しかし、図６においては、かかる回転は第１の溝４１と第２の溝４２との対向関係が、図６（Ｃ）に示すようにずれることになる。カバー１に設けられた第１の溝４１（図において実線）は不動であり、ボビン２に設けられた第２の溝４２（図において破線）が傾く。ボール４３により、図６（Ｃ）に示すような傾きは防止される。
【００４１】
以上、駆動ユニット３が設けられた１辺と支持ユニット４が設けられた他辺とが直交している例を説明した。直交していなくても、駆動ユニット３が設けられた１辺と支持ユニット４が設けられた他辺とが平行でないのであれば、図６（Ｃ）に示すような第１の溝４１と第２の溝４２との対向関係のずれが防止される。平行でないならば必ずしも直交していなくてもよい。直交している場合にボビン２の傾斜が最も効率的に防止されるので、直交していることが好ましい。
【００４２】
図７は、支持ユニットの詳細を説明する断面図である。第１の溝４１及び第２の溝４２は、第１の溝４１と第２の溝４２とが対向する開口部から奥に向かって狭幅となるＶ字状である（Ｖの下端の鋭角部を除く）。ボール４３が第１の溝４１及び第２の溝４２とそれぞれ２点で接する。第１の溝４１と第２の溝４２とが図の白色矢印方向にずれることがなく、ボビン２の傾斜が防止される。
【００４３】
支持ユニット４は、検出ユニット５と同一の辺に設けられている。これにより、磁性体（鉄）のプレート６（又は基板５２）が、検出用マグネット５３によりボビン２に吸引されることでカバー１にも吸引される。カバー１とボビン２とが遊離することが予防され、ボール４３が第１の溝４１及び第２の溝４２とそれぞれ２点で接することが確実になる。なお、図７における黒色矢印方向のずれも防止される。駆動ユニット３の電磁力が図６（Ａ）における重力の影響及びボール４３と第１の溝４１及び第２の溝４２摩擦抵抗力で不均一である場合のボビン２の傾斜を予防している。
【００４４】
第２の溝４２のうち少なくとも１を駆動ユニット３と平行でない辺に設けることで、ボビン２の傾斜が防止される。以下、かかる例を示す。
【００４５】
図８は、レンズ駆動装置の例を示す図である。２の第２の溝４２が、異なる辺に設けられている。第２の溝４２が設けられた２の辺は、いずれも、駆動ユニット３と直交する辺に設けられている。図６に示したものと同様に、第１の溝４１と第２の溝４２との対向関係のずれが発生しないので、ボビン２が傾斜することがない。
【００４６】
図９は、レンズ駆動装置の例を示す図である。支持ユニット４は図６に示したものと同位置に設けられている。図６に示したものとの相違は、駆動ユニット３（コイル３１及び駆動用マグネット３２）が対向する辺に２つ（３１ａ及び３１ｂ、３２ａ及び３２ｂ）設けられていることである。
【００４７】
ボビン２は、２つの駆動ユニット３によって駆動されるので、１つのみの駆動ユニット３が設けられていた場合に発生した駆動ユニット３に対向する辺の側が重力に影響されて移動しなく（又は移動が遅く）なることがない。支持ユニット４による効果と合わせ、ボビン２の傾斜を確実に防止することができる。
【００４８】
以上詳細に説明したように、本実施例のレンズ駆動装置１は、ボビン２を傾けることなく光軸方向に駆動することができる。
【実施例２】
【００４９】
本実施例は、実施例１とは別の構造によるものである。第１の溝４１、第２の溝４２及びボール４３によるボビンの傾斜防止、並びに、ボビン２、駆動ユニット３及び検出ユニット５の機構は、実施例１と共通であり、詳細な説明を省略する。
【００５０】
図１０は、レンズ駆動装置の構成を示す分解斜視図である。レンズ駆動装置は、カバー１、ボビン２、プレート６及びトップカバー７１から構成され、駆動ユニット３、支持ユニット４及び検出ユニット５を備えている。図１０（Ａ）はボビン２及びトップカバー７１を示し、図１０（Ｂ）はカバー１及びプレート６を示す。カバー１とボビン２との間に嵌挿されるボール４３を、図１０（Ａ）及び図１０（Ｂ）の双方に示し、図１０（Ａ）と図１０（Ｂ）の関連を表した。
【００５１】
実施例１のもの（図１参照）と比較すると、カバー１が下方に配されている。厳密には、実施例１におけるベース７とカバー１とを一体化したものが本実施例のカバー１に相当し、上方をカバーするトップカバー７１が追加されたものである。
【００５２】
駆動ユニット３（コイル３１及び駆動用マグネット３２）は、対向する辺に２つが設けられている。これにより、駆動ユニット３に対向する辺の側に加わる重力の作用がなくなり、ボビン２の傾斜が小さくなる。
【００５３】
検出ユニット５（ホール素子５１、基板５２及び検出用マグネット５３）は、駆動ユニット３の設けられていない辺に設けられている。
【００５４】
支持ユニット４は、カバー１に設けられた２の第１の溝４１、ボビン２に設けられた２の第２の溝４２、及び第１の溝４１と第２の溝４２の間に配された３のボール４３から構成される。２つの支持ユニット４（第１の溝４１ａ及び第２の溝４２ａによるもの、第１の溝４１ｂ及び第２の溝４２ｂによるもの）が設けられている。以下、第１の溝４１ａ及び第２の溝４２ａによるものを支持ユニット４ａ、第１の溝４１ｂ及び第２の溝４２ｂによるものを支持ユニット４ｂと表す。
【００５５】
支持ユニット４ａは、駆動ユニット３と同一の面に設けられている。駆動用マグネット３２によって、カバー１とボビン２とを近接させ、ボビンの傾斜防止を確実にしている。
【００５６】
支持ユニット４ｂは、検出ユニット５と同一の面に設けられている。検出用マグネット５３によって、カバー１とボビン２とを近接させ、ボビンの傾斜防止を確実にしている。また、２つの駆動ユニット３が設けられた面とは非平行な面に設けられ、ボビンの傾斜防止をさらに確実にしている。
【００５７】
図１１は、ボール係止具を示す図である。支持ユニット４ａ及び４ｂの箇所の断面を表したものである。トップカバー７１の、ボール４３の上方にボール係止具４４（凸部）が設けられ、ボール４３をカバー１とボビン２との間に安定させている。
【００５８】
なお、ボール係止具４４として、トップカバー７１の凸部に替えて樹脂部材等を用いてもよい。
【産業上の利用可能性】
【００５９】
本考案のレンズ駆動装置は、レンズを傾けることなくその光軸方向に駆動するのに好適である。
【符号の説明】
【００６０】
１    カバー
２    ボビン
２１  レンズ保持部
３    駆動ユニット
３１  コイル
３２  駆動用マグネット
４    支持ユニット
４１  第１の溝
４２  第２の溝
４３  ボール
４４  ボール係止具
５    検出ユニット
５１  ホール素子
５２  基板
５３  検出用マグネット
６    プレート
７    ベース
７１  トップカバー  
【図１】
0003200481.tif 000003
【図２】
0003200481.tif 000004
【図３】
0003200481.tif 000005
【図４】
0003200481.tif 000006
【図５】
0003200481.tif 000007
【図６】
0003200481.tif 000008
【図７】
0003200481.tif 000009
【図８】
0003200481.tif 000010
【図９】
0003200481.tif 000011
【図１０】
0003200481.tif 000012
【図１１】
0003200481.tif 000013
【手続補正書】
【提出日】平成27年8月31日(2015.8.31)
【手続補正１】
【補正対象書類名】実用新案登録請求の範囲
【補正対象項目名】請求項１
【補正方法】変更
【補正の内容】
【請求項１】
レンズを収容する角筒形状のボビンと、
前記ボビンを収納する箱形状のカバーと、
前記ボビンをレンズの光軸方向に移動させる駆動ユニットと、
前記ボビンを支持し、光軸方向に案内する支持ユニットを備えたレンズ駆動装置であって、
前記駆動ユニットは、前記カバーの内面の少なくとも１に装着されるコイルと、前記ボビンの外面の前記コイルに対向する駆動面に収容されて前記光軸方向の両側に異なる磁極を有する駆動用マグネットとから構成され、
前記支持ユニットは、前記カバーの内周の少なくとも２箇所に設けられて前記光軸方向に平行に伸びる複数の第１の溝と、前記ボビンの外周の少なくとも２箇所に設けられてレンズの光軸方向に平行に伸びて前記第１の溝の各々に対向する前記第１の溝と同数の第２の溝と、前記第１の溝とそれに対向する前記第２の溝との間に配されたボールとから構成され、
前記第２の溝のうち少なくとも１は、前記駆動面と非平行であり、前記ボビン外周に装着される検出用マグネットと略平行の支持面に設けられている、
ことを特徴とする、レンズ駆動装置。
【手続補正２】
【補正対象書類名】実用新案登録請求の範囲
【補正対象項目名】請求項３
【補正方法】変更
【補正の内容】
【請求項３】
前記ボビンの位置を検出する検出ユニットを備え、
前記検出ユニットは、前記カバーの内面の１に装着されるホール素子を搭載した基板と、前記ボビンの外面の前記基盤に対向する検出面に装着された前記検出用マグネットとから構成されることを特徴とする、請求項１又は２に記載のレンズ駆動装置。
【手続補正３】
【補正対象書類名】明細書
【補正対象項目名】０００８
【補正方法】変更
【補正の内容】
【０００８】
本考案のレンズ駆動装置は、
レンズを収容する角筒形状のボビンと、
前記ボビンを収納する箱形状のカバーと、
前記ボビンをレンズの光軸方向に移動させる駆動ユニットと、
前記ボビンを支持し、光軸方向に案内する支持ユニットを備えたレンズ駆動装置であって、
前記駆動ユニットは、前記カバーの内面の少なくとも１に装着されるコイルと、前記ボビンの外面の前記コイルに対向する駆動面に収容されて前記光軸方向の両側に異なる磁極を有する駆動用マグネットとから構成され、
前記支持ユニットは、前記カバーの内周の少なくとも２箇所に設けられて前記光軸方向に平行に伸びる複数の第１の溝と、前記ボビンの外周の少なくとも２箇所に設けられてレンズの光軸方向に平行に伸びて前記第１の溝の各々に対向する前記第１の溝と同数の第２の溝と、前記第１の溝とそれに対向する前記第２の溝との間に配されたボールとから構成され、
前記第２の溝のうち少なくとも１は、前記駆動面と非平行であり、前記ボビン外周に装着される検出用マグネットと略平行の支持面に設けられている、
ことを特徴とする。
【手続補正４】
【補正対象書類名】明細書
【補正対象項目名】００１２
【補正方法】変更
【補正の内容】
【００１２】
本考案のレンズ駆動装置は、
前記ボビンの位置を検出する検出ユニットを備え、
前記検出ユニットは、前記カバーの外面の１に装着されるホール素子を搭載した基板と、前記ボビンの外面の前記基盤に対向する検出面に装着された前記検出用マグネットとから構成されることを特徴とする。
【手続補正５】
【補正対象書類名】明細書
【補正対象項目名】００５５
【補正方法】変更
【補正の内容】
【００５５】
支持ユニット４ａ及び４ｂは、検出ユニット５と同一の面に設けられている。
【手続補正６】
【補正対象書類名】明細書
【補正対象項目名】００５６
【補正方法】変更
【補正の内容】
【００５６】
検出用マグネット５３によって、カバー１とボビン２とを近接させ、ボビンの傾斜防止を確実にしている。また、２つの駆動ユニット３が設けられた面とは非平行な面に設けられ、ボビンの傾斜防止をさらに確実にしている。